(57)【要約】【課題】  正確に測距が可能な補助光の当たる領域を中心とした撮影を可能にする。【解決手段】  電子ズーム機能を利用して暗い被写体を撮影する場合であっても、補助光を照射しない画像と、補助光を照射する画像の２画像の差分画像から補助光の照射領域を検出するため、より適切に補助光が照射される領域を検出し撮影画面中心とした撮影が可能となる。【選択図】  図１
2007124505.tif 000002
【特許請求の範囲】
【請求項１】
被写体が暗い場合にオートフォーカスの精度を上げるための補助光を照射する投光光源と、撮影画面内における前記補助光が照射された領域を検出する照射領域検出手段と、トリミングにより実現されるズーム機能と、被写体像の焦点調節を行うフォーカスレンズと、前記フォーカスレンズを駆動するフォーカスレンズ駆動手段と、被写体像を電気信号に変換する撮像素子と、複数の撮像素子受光面の出力から合焦位置を検出する合焦位置検出手段と、前記合焦位置検出手段からの出力に応じて前記フォーカスレンズ駆動手段を制御する制御手段とを有し、
トリミングによるズーム機能を利用した撮影時に前記補助光を照射した場合には、前記補助光が照射された領域を前記照射領域検出手段により検出し、前記照射領域検出手段により検出された領域を中心にトリミングを行うことを特徴とする電子カメラ。
【請求項２】
カメラの撮影モードがマクロモードを含む所定のモードであるときに、請求項１に記載の動作をすることを特徴とする電子カメラ。
【請求項３】
前記照射領域検出手段は、前記補助光を照射しない第1の撮影と前記補助光を照射する第２の撮影を行う撮影手段と、前記撮影手段により撮影された２つの画像から差分画像を作成し前記補助光が照射された領域を検出する検出手段により構成されることを特徴とする請求項１に記載の電子カメラ。
【発明の詳細な説明】
【技術分野】
【０００１】
本発明は、被写体像を撮影して映像信号を得るカメラに係わり、トリミングによるズーム機能を備えた電子カメラに関する。
【背景技術】
【０００２】
従来から電子スチルカメラやビデオカメラなどではＣＣＤなどの撮像素子から得られる輝度信号の高域成分が最大になるようにフォーカスレンズを駆動することで合焦動作を行ってきた。この方式では被写体の輝度が低い場合には、得られる輝度信号が弱いため正確な合焦動作は不可能であり、被写体が暗い場合にも十分な輝度信号を得てオートフォーカスの精度を上げるための補助光（以下、単に補助光と記す。）を、ＬＥＤなどの補助光源から被写体に向けて投光することにより、被写体輝度を高くして前述の合焦動作を行っている。
【０００３】
補助光源は撮影レンズの光軸からずれた位置に配置され、一般的にはある一定の距離において投光された補助光が撮影画面の中心に当たるように補助光の角度を設定する。このときの被写体とカメラ本体の距離は２ｍぐらいである。したがって設定された被写体距離の場合には撮影画面の中心に補助光が照射されるが、設定された距離と異なる距離の被写体の場合には、パララックスのために撮影画面の中心からずれた位置に補助光が照射される。
【０００４】
図３(a)は補助光源を備えたカメラを示す図であり、図３(b)は図３(a)に示すように補助光源が配置されたカメラにおける近距離被写体撮影時の補助光の照射領域を示す図である。補助光源が固定レンズに対して図３(a)に示すような位置に設置されている場合、被写体がカメラに近づきその距離がマクロ領域に達するほどになると、図３(b)に示すように撮影画面の中心と補助光が照射される領域の位置とのずれが大きくなり、外側に当たるようになる。
【０００５】
一方でトリミングにより実現される擬似的なズーム機能(以下、電子ズーム)は、一般に撮影画面の中心を変えずにトリミングを行っている。
【０００６】
又、別の従来例としては、特許文献１をあげることが出来る。
【特許文献１】特開2002-131626号公報
【発明の開示】
【発明が解決しようとする課題】
【０００７】
電子ズーム機能を利用して暗い被写体を撮影するときには、図３に示すように従来の方法では前述のパララックスによるずれのために、補助光が照射される領域がトリミング領域の端に位置したり、トリミングされる領域サイズによっては補助光が照射される領域がトリミング領域から外れてしまうことがある。このため補助光が当たっていない領域を中心として撮影を行うこととなり、撮影画面中心と補助光の照射領域が対応していない問題が生じる。
【０００８】
本発明の目的は電子ズーム機能を利用して暗い被写体を撮影する場合であっても、補助光の照射される領域を撮影画面中心にした撮影が可能なカメラを提供することにある。
【課題を解決するための手段】
【０００９】
前述の目的を達成するために、請求項１に記載の電子カメラは、
被写体が暗い場合にオートフォーカスの精度を上げるための補助光を照射する投光光源と、撮影画面内における前記補助光が照射された領域を検出する照射領域検出手段と、トリミングにより実現されるズーム機能と、被写体像の焦点調節を行うフォーカスレンズと、前記フォーカスレンズを駆動するフォーカスレンズ駆動手段と、被写体像を電気信号に変換する撮像素子と、複数の撮像素子受光面の出力から合焦位置を検出する合焦位置検出手段と、前記合焦位置検出手段からの出力に応じて前記フォーカスレンズ駆動手段を制御する制御手段とを有し、
トリミングによるズーム機能を利用した撮影時に前記補助光を照射した場合には、前記補助光が照射された領域を前記照射領域検出手段により検出し、前記照射領域検出手段により検出された領域を中心にトリミングを行うことを特徴とする。
【００１０】
前述の目的を達成するために、請求項２に記載の電子カメラは、
カメラの撮影モードがマクロモードを含む所定のモードであるときに、請求項１に記載の動作をすることを特徴とする。
【００１１】
前述の目的を達成するために、請求項３に記載の電子カメラは、
請求項１に記載の電子カメラにおいて、前記照射領域検出手段は前記補助光を照射しない第1の撮影と前記補助光を照射する第２の撮影を行う撮影手段と、前記撮影手段により撮影された２つの画像から差分画像を作成し前記補助光が照射された領域を検出する検出手段により構成されることを特徴とする。
【００１２】
請求項１に記載の電子カメラによれば、電子ズームは補助光が照射される領域を撮影画面中心としてトリミングを行うため、電子ズーム機能を利用して暗い被写体を撮影する場合であっても、補助光が照射される領域を撮影画面中心とした撮影が可能となる。
【００１３】
請求項２に記載の電子カメラによれば、パララックスによる撮影画面中心と補助光が照射される領域のずれが特に大きくなる近距離被写体を撮影するマクロモード、および設定されたモードにおいて、電子ズーム機能を利用して暗い被写体を撮影する場合であっても、補助光が照射される領域を撮影画面中心とした撮影が可能となる。
【００１４】
請求項３に記載の電子カメラによれば、補助光を照射せずに撮影した画像と、補助光を照射して撮影した画像の２つの画像の差分画像から補助光の照射領域を検出するため、より適切に補助光が照射される領域を検出し撮影画面中心とした撮影が可能となる。
【発明の効果】
【００１５】
以上説明したように、請求項１の電子カメラによれば、電子ズームは補助光の照射される領域を撮影画面中心としてトリミングを行うため、電子ズーム機能を利用して暗い被写体を撮影する場合であっても、補助光が照射される領域を撮影画面中心とした撮影が可能となる。
【００１６】
請求項２の電子カメラによれば、パララックスによる撮影画面中心と補助光が照射される領域のずれが特に大きくなる近距離被写体を撮影するマクロモード、および設定されたモードにおいて、電子ズーム機能を利用して暗い被写体を撮影する場合であっても、補助光の照射される領域を撮影画面中心にした撮影が可能となる。
【００１７】
請求項３の電子カメラによれば、補助光を照射せずに撮影した画像と、補助光を照射して撮影した画像の２つの画像の差分画像から補助光の照射領域を検出するため、より適切に補助光が照射される領域を検出し撮影画面中心とした撮影が可能となる。
【発明を実施するための最良の形態】
【００１８】
以下、図面を参照しながら本発明の実施例を説明する。図1は、本発明の実施例を適用した電子カメラの構成を示すブロック図である。
【００１９】
１０１は固定レンズ、１０２は光量を制御する絞り及びシャッター、１０３は絞り及びシャッターを動かすモータ、１０４はモータ１０３を駆動して絞り及びシャッター１０２を動かすメカ系駆動回路、１０５は後述する撮像素子上に焦点をあわせるためのフォーカスレンズ、１０６はフォーカスレンズ１０５のリセット位置を検出するフォトインタラプタ、１０７はフォーカスレンズ１０５を駆動するモータ、１０８はモータ１０７を駆動してフォーカスレンズを動かすフォーカスレンズ駆動回路、１０９は被写体からの反射光を電気信号に変換する受光手段又は光電変換手段としての撮像素子、１１０は撮像素子２０９を動作させるために必要なタイミング信号を発生するタイミング信号発生回路、１１１は撮像素子１０９の出力ノイズを除去するＣＤＳ回路やＡ／Ｄ変換前に行う非線形増幅回路を備えた前置処理回路、１１２はＡ／Ｄ変換器、１１３はバッファメモリ、１１４はメモリの読み書きやＤＲＡＭのリフレッシュ動作を制御するメモリコントローラ、１１５は撮影シーケンスなどシステムを制御するシステム制御用ＣＰＵ、１１６は操作補助のための表示やカメラの状態の表示の他、撮影時には撮影画面と測距領域を表示する操作表示部、１１７はカメラを外部から操作するための操作部、１１８は電気的に書き換え可能な不揮発性メモリ（ＥＥＰＲＯＭ）、１１９は後述する拡張ユニットとのインターフェース、１２０は電子カメラ本体に接続して各種処理や操作を行うための着脱自在な拡張ユニット、１２１は後述する記録媒体との接続のためのインターフェース、１２２はメモリーカードやハードディスクなどの記録媒体、１２３はシステムに電源を投入するためのメインスイッチ、１２４はＡＦやＡＥ等の撮影スタンバイ動作を行うためのスイッチ(以下ＳＷ１と記す)、１２５はＳＷ１の操作後、撮影を行う撮影スイッチ(以下ＳＷ２と記す)、１２６は撮影モードを設定するモードスイッチ、１２７はフラッシュ、及び１２８はＬＥＤ等を光源とする投光手段としての補助光源である。
【実施例１】
【００２０】
以下、本発明の第１の実施例を図２を参照しながら説明する。ここに図２は、本発明の電子カメラの動作を表すフローチャートである。
【００２１】
まず、ステップＳ２０１でメインスイッチ１２３の状態を検出し、ＯＮであればステップＳ２０２へ進む。ここに、メインスイッチ１２３の機能はシステムに電源を投入することである。ステップＳ２０２では記録媒体１２２の残容量を調べ、残容量が０であればステップＳ２０３へ進み、そうでなければステップＳ２０４へ進む。ステップＳ２０３では記録媒体１２２の残容量が０であることを警告してステップＳ２０１に戻る。警告は操作表示部１１６に表示するか又は図示しない音声出力部から警告音を出すか、又はその両方をおこなってもよい。ステップＳ２０４では後述する図５のフローチャートに従ってフォーカスレンズ１０５をリセットする。
【００２２】
ステップＳ２０５では後述する図９のフローチャートに従ってズーム動作を行う。ステップＳ２０６ではスイッチＳＷ１の状態を調べ、ＯＮであればステップＳ２０８へ進み、そうでなければステップＳ２０７へ進む。ここに、ＳＷ１の機能は、ＡＦやＡＥなどの撮影スタンバイ動作を行うことである。ステップＳ２０７ではメインスイッチ１２３の状態を調べ、ＯＮであればステップＳ２０５へ、そうでなければステップＳ２０１へ進む。ステップＳ２０８では撮像素子１０９の出力信号から被写体輝度を算出する。
【００２３】
ステップＳ２０９では、ＡＦ動作時に十分な評価値が得られる被写体輝度であるかを判断し、被写体輝度が所定値より高い場合にはＳ２１４へ進み、被写体輝度が所定値より低い場合にはＳ２１０へ進む。ステップＳ２１０では電子ズーム機能が働いているかを調べ、電子ズームＯＮであればＳ２１１へ、そうでなければＳ２１３へ進む。ステップＳ２１１では、図４に示すように撮影画面を例えば６４個の領域に分割し補助光を照射して、その中で所定レベル以上の被写体輝度を持つ領域を検出し、補助光の照射領域検出を行う。ステップＳ２１２ではＳ２１１で検出した照射領域を中心に電子ズームによるトリミングを行う。ステップＳ２１３ではＡＦ動作時に十分な輝度信号が得られるよう補助光源１２８を被写体に向けて所定時間投光する。
【００２４】
ステップＳ２１４では後述する図６のフローチャートに従ってＡＦ動作を行う。ステップＳ２１５はＳＷ２の状態を調べ、ＯＮであればステップＳ２１７へ、そうでなければステップＳ２１６へ進む。ここに、ＳＷ２の機能はＳＷ１の操作後撮影を行うことである。ステップＳ２１６ではＳＷ１の状態を調べ、ＯＮであればステップＳ２１５へ戻り、そうでなければステップＳ２０５へ戻る。ステップＳ２１７では後述する図７のフローチャートにしたがって撮影動作をおこなう。ステップＳ２１８では記録媒体１２２の残容量を調べ、残容量が０であればステップＳ２０３へ進み、そうでなければステップＳ２１９へ進む。ステップＳ２１９ではＳＷ２の状態を調べ、ＯＮでなければステップＳ２１６へ進む。
【００２５】
以下、図５のフローチャートを参照しながら図２におけるステップＳ２０４のフォーカスレンズのリセットについて説明する。ここに、図５は、図２のフローチャートにおけるフォーカスレンズのリセットの動作（ステップＳ２０４）のフローチャートである。
【００２６】
本説明において、フォトインタラプタ１０６の位置と出力の関係を図８に示すようにフォーカスレンズ１０５がフォトインタラプタ出力切り替え位置に対して無限端側にあるときはフォトインタラプタ１０６の出力は“Ｌｏ”、至近端側にあるときは“Ｈｉ”になるものとする。
【００２７】
まず、ステップＳ５０１ではフォトインタラプタ１０６の出力の状態を調べて、“Ｌｏ”であればステップＳ５０２へ進み、そうでなければステップＳ５０３へ進む。ステップＳ５０２では、ステップＳ５０１でフォトインタラプタ１０６の出力によりフォーカスレンズ１０５はフォトインタラプタ出力切り替え位置に対して無限端側にあると判断されるのでフォーカスレンズ１０５を至近端側へ１ステップ移動する。ステップＳ５０３ではフォトインタラプタ１０６の出力の状態を調べ、“Ｈｉ”であればステップＳ５０４へ進み、そうでなければステップＳ５０５へ進む。ステップＳ５０４では、ステップＳ５０３でフォトインタラプタ１０６の出力によりフォーカスレンズ１０５はフォトインタラプタ出力切り替え位置に対して至近端側にあると判定されるので、フォーカスレンズ１０５を無限端側へ１ステップ移動する。
【００２８】
このようにしてフォーカスレンズ１０５をリセットした場合の動作について説明する。まず、メインスイッチ１２３をＯＮにしたときのフォーカスレンズ１０５の位置がフォトインタラプタ出力切り替え位置に対して無限端側にあった場合、フォトインタラプタ１０６の出力は“Ｌｏ”であるので図５のステップＳ５０１、ステップＳ５０２によってフォーカスレンズ１０５はフォトインタラプタ１０６の出力が“Ｈｉ”になるまで至近端側へ１ステップずつ移動される。図８のフォトインタラプタ出力切り替え位置を越えたところでフォトインタラプタ１０６の出力は“Ｈｉ”に切り替わるので、今度は図５のステップＳ５０３、ステップＳ５０４にしたがってフォトインタラプタ１０６の出力が“Ｌｏ”になるまで無限端側へ１ステップずつ移動される。こうして最終的にはフォーカスレンズ１０５は図８のリセット位置で止まる。メインスイッチ１２３をＯＮにしたときのフォーカスレンズ１０５の位置がフォトインタラプタ出力切り替え位置に対して至近端側にあった場合は、無限端側へのみフォーカスレンズ１０５を移動してフォトインタラプタ１０６の出力が“Ｌｏ”になったら止める。こうして前述のメインスイッチ１２３をＯＮにしたときのフォーカスレンズ１０５の位置がフォトインタラプタ出力切り替え位置に対して無限端側にあった場合と同様に、最終的にはフォーカスレンズ１０５は図８のリセット位置に止まる。
【００２９】
以下、図６のフローチャートを参照しながら図２のフローチャートにおけるステップＳ２１４のＡＦ動作のサブルーチンを説明する。ＡＦ動作は撮像素子から得られる信号の高域成分（以下、焦点評価値と記す）のピーク検出により行われる。ここに図６は、図２のフローチャートにおけるＡＦ動作（ステップＳ２１４）のサブルーチンのフローチャート図である。
【００３０】
まず、ステップＳ６０１ではフォーカスレンズ１０５をスキャン開始位置に移動する。ここではスキャン開始位置を測距範囲における無限端に設定するものとする。ステップＳ６０２では、測距領域毎の焦点評価値とフォーカスレンズ１０５の位置を記憶する。フォーカスレンズ１０５の位置の検出はフォーカスレンズ駆動モータ１０７にステッピングモータを用いている場合は、リセット位置検出用のフォトインタラプタ１０６によって検出されるリセット位置からの相対位置として検出される。ステップＳ６０３ではレンズ位置が終了位置にあるかどうかを調べ、終了位置であればステップＳ６０５へ、そうでなければステップＳ６０４へ進む。ここではスキャン終了位置を測距範囲における至近端に設定するものとする。ステップＳ６０４ではフォーカスレンズ１０５を駆動して至近方向へ所定量動かす。
【００３１】
ステップＳ６０５ではステップＳ６０２で記憶した焦点評価値の最大値を求め、そのときのフォーカスレンズ１０５の位置を抽出する。ステップＳ６０６では焦点評価値が最大値を示した位置へフォーカスレンズ１０５を移動する。
【００３２】
以下、図７のフローチャートを参照しながら図２のフローチャートにおけるステップＳ２１７の撮影動作のサブルーチンを説明する。ここに、図７は、図２のフローチャートにおける撮影動作（ステップＳ２１７）のサブルーチンのフローチャートである。
【００３３】
まず、ステップＳ７０１では被写体輝度を測定する。ステップＳ７０２ではステップＳ７０１で測定した被写体輝度に応じて撮像素子１０９への露光を行う。ステップＳ７０３では前置処理回路２１１にて撮像素子１０９の出力ノイズ除去やＡ／Ｄ変換前に行う非線形処理などを行う。ステップＳ７０４では前置処理回路２１１からのアナログ信号をデジタル信号に変換する。ステップＳ７０５ではＡ／Ｄ変換器１１２からの出力データをメモリコントローラ１１４を介してバッファメモリ１１３内のデータを一時的に格納する。ステップＳ７０６ではバッファメモリ１１３内のデータをメモリコントローラ１１４、記録インターフェース１２１を介してカメラ本体に装着されたメモリカードなどの記録媒体１２２へ転送する。
【００３４】
以下、図９のフローチャートを参照しながら図２のフローチャートにおけるＳ２０５のズーム動作のサブルーチンを説明する。ここに、図９は、図２のフローチャートにおけるズーム動作（Ｓ２０５）のサブルーチンのフローチャートである。
【００３５】
Ｓ９０１では図１に図示しないズームレバーがＴｅｌｅ側に操作されているか調べる。ＯＮであればＳ９０２へ、そうでなければＳ９０９へ進む。Ｓ９０２ではズーム位置がＴｅｌｅ端であるか調べ、Ｔｅｌｅ端でなければＳ９０３へ、Ｔｅｌｅ端であればＳ９０４へ進む。Ｓ９０３ではズーム位置をＴｅｌｅ側へ動かし、S９０１へ戻る。Ｓ９０４では電子ズームを使用していて最大倍率となっているか調べ、最大倍率であればＳ９０９へ、そうでなければＳ９０５へ進む。Ｓ９０５では撮像素子１０９の出力信号から被写体輝度を算出する。Ｓ９０６では、ＡＦ動作時に十分な評価値が得られる被写体輝度であるかを判断し、被写体輝度が所定値より高い場合にはＳ９０８へ進み、被写体輝度が所定値より低い場合にはＳ９０７へ進む。Ｓ９０７では、図４に示すように撮影画面を例えば６４個の領域に分割し補助光を照射して、その中で所定レベル以上の被写体輝度を持つ領域を検出することで、補助光の照射領域検出を行い、Ｓ９０８へ進む。Ｓ９０８では、Ｓ９０６で被写体輝度が所定値より高かった場合には撮影画面中心を変えずに電子ズームの倍率を上げてトリミングを行い、そうでなければＳ９０７で検出した領域を中心に電子ズームの倍率を上げてトリミングを行い、Ｓ９０１へ戻る。
【００３６】
Ｓ９０９では図１に図示しないズームレバーがＷｉｄｅ側に操作されているか調べる。ＯＮであればＳ９１０へ進み、そうでなければリターンである。Ｓ９１０ではズーム位置がＷｉｄｅ端であるか調べ、Ｗｉｄｅ端でなければＳ９１１へ進み、Ｗｉｄｅ端であればリターンである。Ｓ９１１では電子ズームを使用しているか調べ、使用していればＳ９１２へ、そうでなければＳ９１３へ進む。Ｓ９１２では撮影画面中心を変えずに電子ズームの倍率を下げてトリミングを行い、Ｓ９０９へ戻る。Ｓ９１３ではズーム位置をＷｉｄｅ側へ動かし、S９０９へ戻る。
【００３７】
以上説明したようにカメラの制御を行うことにより、本実施例を使用した電子カメラは電子ズーム機能を利用して暗い被写体を撮影する場合であっても、電子ズームは補助光が照射される領域を撮影画面中心としてトリミングを行うため、補助光が照射される領域を撮影画面中心とした撮影が可能となる。
【００３８】
さらに公知の例であるが、補助光が照射される領域を測距領域として設定することにより、トリミングした撮影画面中心の被写体に対して正確な測距が可能となる。
【実施例２】
【００３９】
以下、本発明の第２の実施例を説明する。第２の実施例は第１の実施例における補助光が照射された領域を中心にしたトリミングを、モードスイッチ１２６によりマクロモードを含む所定のモードにあるときに実行するものであり、以下に示す動作をすることを特徴とする。
【００４０】
第２の実施例も図２のフローチャートに従って制御を行う。第１の実施例と同じ動作を行う部分の説明は省略する。
【００４１】
図２のフローチャートにおける照射領域検出（ステップＳ２１１）では、カメラの撮影モードを調べ、撮影モードがマクロモードを含む所定のモードであれば、図４に示すように撮影画面を例えば６４個の領域に分割し補助光を照射して、その中で所定レベル以上の明るさを持つ領域を検出し補助光の照射領域検出を行う。一方、撮影モードが所定のモードでなければ、照射領域の検出は行わず照射領域は撮影画面中心にあるものとする。
【００４２】
また、図２のフローチャートにおけるズーム動作（Ｓ２０５）のサブルーチンのフローチャートである図９のフローチャートにおける照射領域検出（ステップＳ９０７）においても同様の動作を行う。すなわち、カメラの撮影モードを調べ、撮影モードがマクロモードを含む所定のモードであれば、図４に示すように撮影画面を例えば６４個の領域に分割し補助光を照射して、その中で所定レベル以上の明るさを持つ領域を検出し補助光の照射領域検出を行う。一方、撮影モードが所定のモードでなければ、照射領域の検出は行わず照射領域は撮影画面中心にあるものとする。
【００４３】
以上説明したようにカメラの制御を行うことにより、本実施例を使用した電子カメラは電子ズーム機能を利用して暗い被写体を撮影する場合であっても、パララックスによる撮影画面中心と補助光が照射される領域のずれが特に大きくなる近距離被写体を撮影するマクロモード、および設定されたモードにおいて、補助光が照射される領域を撮影画面中心とした撮影が可能となる。
【実施例３】
【００４４】
以下、本発明の第３の実施例を説明する。第３の実施例は第１の実施例における照射領域検出を図１０のフローチャートに示すサブルーチンに従って行うものであり、以下に示す動作をすることを特徴とする。
【００４５】
第３の実施例も、ほぼ図２のフローチャートに従って制御を行う。第１の実施例と同じ動作を行う部分の説明は省略する。以下、図１０のフローチャートを参照しながら、照射領域検出のサブルーチンを説明する。ここに図１０は、図２のフローチャートにおける照射領域検出（ステップＳ２１１）、および図９のフローチャートにおける照射領域検出（ステップＳ９０７）のサブルーチンのフローチャートである。
【００４６】
Ｓ１００１では補助光を照射しない第１の撮影を行う。Ｓ１００２ではＳ１００１で撮影した画像をバッファメモリ１１７に記録する。Ｓ１００３では補助光を点灯する。Ｓ１００４では補助光を照射した第２の撮影を行う。Ｓ１００５ではＳ１００４で撮影した画像をバッファメモリ１１７に記録する。Ｓ１００６ではバッファメモリ１１７に記録されているＳ１００１で撮影した補助光を照射しない画像と、Ｓ１００４で撮影した補助光を照射した画像の２つの画像から差分画像を作成する。Ｓ１００７ではＳ１００６で作成した差分画像から補助光の照射領域を検出する。
【００４７】
以上説明したようにカメラの制御を行うことにより、本実施例を使用した電子カメラは電子ズーム機能を利用して暗い被写体を撮影する場合であっても、補助光を照射しない画像と、補助光を照射する画像の２画像の差分画像から補助光の照射領域を検出するため、より適切に補助光が照射される領域を検出し撮影画面中心とした撮影が可能となる。
【図面の簡単な説明】
【００４８】
【図１】本発明を適用した電子カメラの構成ブロック図である。
【図２】本発明の実施例を適用した電子カメラの動作を表すフローチャートである。
【図３】電子ズームによりトリミングされた撮影画面と補助光の照射領域がパララックスによりずれる例。
【図４】本発明の実施例で補助光の照射領域を中心にトリミングを行う図である。
【図５】図２におけるフォーカスレンズのリセットの動作を表すフローチャートである。
【図６】図２におけるＡＦ動作のサブルーチンのフローチャートである。
【図７】図２における撮影動作のサブルーチンのフローチャートである。
【図８】フォトインタラプタの位置と出力の関係を表す図である。
【図９】図２におけるズーム動作のサブルーチンのフローチャートである。
【図１０】図２のフローチャートにおける照射領域検出（ステップＳ２１１）、および図９のフローチャートにおける照射領域検出（ステップＳ９０７）のサブルーチンのフローチャートである。
【符号の説明】
【００４９】
１０１  固定レンズ
１０２  絞り及びシャッター
１０３  モータ
１０４  メカ駆動回路
１０５  フォーカスレンズ
１０６  フォトインタラプタ
１０７  モータ
１０８  フォーカスレンズ駆動回路
１０９  撮像素子
１１０  タイミング信号処理回路
１１１  前置処理回路
１１２  Ａ/D変換器
１１３  バッファメモリ
１１４  メモリコントローラ
１１５  マイクロコントローラ
１１６  操作表示部
１１７  操作部
１１８  不揮発性メモリ
１１９  インターフェース
１２０  拡張ユニット
１２１  インターフェース
１２２  記録媒体
１２３  メインスイッチ
１２４  スイッチ
１２５  撮影スイッチ
１２６  モードスイッチ
１２７  フラッシュ
１２８  補助光源
【図１】
2007124505.tif 000003
【図２】
2007124505.tif 000004
【図３】
2007124505.tif 000005
【図４】
2007124505.tif 000006
【図５】
2007124505.tif 000007
【図６】
2007124505.tif 000008
【図７】
2007124505.tif 000009
【図８】
2007124505.tif 000010
【図９】
2007124505.tif 000011
【図１０】
2007124505.tif 000012